(57)【要約】【課題】湿度・温度環境に左右されずに光硬化型の液体を硬化させる。【解決手段】本発明を適用したインクジェットプリンタ１は、紫外線の被照射により硬化する光硬化型のインクを記録媒体９９に吐出する記録ヘッド７〜１０と、記録ヘッド７〜１０から記録媒体９９に吐出されたインクに紫外線を照射する光源（図示略）と、記録媒体９９の近傍の温度を検出する温度センサ１６と、記録媒体９９の近傍の湿度を検出する湿度センサ１７と、前記光源から照射される光の照度を制御する制御部（図示略）と、を備えている。そしてインクジェットプリンタ１では、前記制御部が、温度センサ１６及び湿度センサ１７の検出結果に基づき前記光源の光の照度を制御している。【選択図】図１
2004237724.tif 000002
【特許請求の範囲】
【請求項１】
光の被照射により硬化する光硬化型の液体を対象物に吐出するヘッドと、
前記ヘッドから前記対象物に吐出された前記液体に光を照射する光源と、
前記対象物の近傍の温度を検出する温度センサと、前記対象物の近傍の湿度を検出する湿度センサとのうち少なくとも一方のセンサと、
前記光源から照射される光の照度を制御する制御部と、
を備え、
前記制御部は、
前記温度センサ及び前記湿度センサのうち少なくとも一方のセンサの検出結果に基づき前記光源の光の照度を制御することを特徴とする液体吐出装置。
【請求項２】
請求項１に記載の液体吐出装置において、
前記制御部には、温度及び湿度の少なくとも一方と、温度及び湿度の少なくとも一方に対応して前記液体を硬化させるのに必要な光の硬化所要照度との対応関係が第一のデータテーブルとして格納されており、
前記制御部は、
前記温度センサ及び前記湿度センサのうち少なくとも一方のセンサの検出結果に基づき前記第一のデータテーブルの中から前記硬化所要照度を特定し、特定した前記硬化所要照度以上で前記光源が点灯するように前記光源の光の照度を制御することを特徴とする液体吐出装置。
【請求項３】
請求項２に記載の液体吐出装置において、
前記光源の光の照度を検出する照度検出センサを備え、
前記制御部には、前記光源から照射可能な光の照射可能照度を複数の照度レベルに分けた第二のデータテーブルが格納されており、
前記制御部は、
前記照度検出センサの検出結果に基づき前記第二のデータテーブルの各照度レベルに対応する前記照射可能照度を書き換え、書き換えた前記第二のデータテーブルの中から、前記温度センサ及び前記湿度センサのうち少なくとも一方のセンサの検出結果に基づいて特定した前記硬化所要照度以上の前記照射可能照度を有する照度レベルを選択し、選択した照度レベルの前記照射可能照度で前記光源が点灯するように前記光源の光の照度を制御することを特徴とする液体吐出装置。
【請求項４】
請求項２又は３に記載の液体吐出装置において、
前記光源を複数備え、
前記制御部は、
前記温度センサ及び前記湿度センサのうち少なくとも一方のセンサの検出結果に基づいて特定した前記硬化所要照度が、一の前記光源から照射可能な光の照射可能照度の上限を超えているか否かを判定し、特定した前記硬化所要照度が前記照射可能照度の上限を超えていると判断した場合に、前記一の光源と前記一の光源以外の他の前記光源との光の照度の合計値が特定した前記硬化所要照度を超えるように前記他の光源を点灯させることを特徴とする液体吐出装置。
【請求項５】
請求項２又は３に記載の液体吐出装置において、
前記光源以外に前記ヘッドから前記対象物に吐出された前記液体に光を照射する予備光源を備え、
前記制御部は、
前記温度センサ及び前記湿度センサのうち少なくとも一方のセンサの検出結果に基づいて特定した前記硬化所要照度が、前記光源から照射可能な光の照射可能照度の上限を超えているか否かを判定し、特定した前記硬化所要照度が前記照射可能照度の上限を超えていると判断した場合に、前記予備光源が点灯するように前記予備光源を制御することを特徴とする液体吐出装置。
【請求項６】
請求項２〜５のいずれか一項に記載の液体吐出装置において、
前記第一のデータテーブルでは、湿度が高くなるにつれて前記硬化所要照度が高くなることを特徴とする液体吐出装置。
【請求項７】
請求項２〜６のいずれか一項に記載の液体吐出装置において、
前記第一のデータテーブルでは、前記硬化所要照度が温度及び湿度の両方に対応していることを特徴とする液体吐出装置。
【請求項８】
請求項２〜７のいずれか一項に記載の液体吐出装置において、
前記第一のデータテーブルでは、前記硬化所要照度が前記液体の種類に応じていることを特徴とする液体吐出装置。
【請求項９】
請求項１〜８のいずれか一項に記載の液体吐出装置において、
前記対象物は記録媒体であり、
前記液体は、一成分として色材を含むインクであることを特徴とする液体吐出装置。
【請求項１０】
請求項９に記載の液体吐出装置において、
前記光は紫外線であり、
前記液体は、紫外線の被照射により硬化するインクであることを特徴とする液体吐出装置。
【請求項１１】
請求項１０に記載の液体吐出装置において、
前記液体は、一成分としてカチオン重合性化合物を含むカチオン重合系インクであることを特徴とする液体吐出装置。
【発明の詳細な説明】
【技術分野】
【０００１】
本発明は液体吐出装置に係り、特に、対象物に吐出された光硬化型の液体に光を照射して当該液体を硬化させる液体吐出装置に関するものである。
【背景技術】
【０００２】
従来より、凹凸を有する版の凸部にインクを塗りそれを記録媒体に転写する凸版印刷や、凸版とは逆に版の凹部にインクを溜めてそれを記録媒体にプレスして転写する凹版印刷といったいろいろな印刷方式が開発・確立されている。これら凸版印刷及び凹版印刷は、ひとたび版を作製すれば大ロット印刷を自在におこなえ印刷物一枚当たりの印刷コストを大幅に減少させることができるという利点はあるが、小ロット印刷をおこなうには製版工程に時間・コストが掛かるため、近年では、凸版印刷及び凹版印刷よりも簡便・安価に記録物を生産できるインクジェット記録方式が、写真・各種印刷・マーキング・カラーフィルターといった特殊印刷等の様々な印刷分野に応用されてきている。
【０００３】
上記インクジェット記録方式では、室温で固形のワックスインクを用いる相変化インクジェット方式、速乾性の有機溶剤を主体としたインクを用いるソルベント系インクジェット方式、紫外線の被照射により硬化する光硬化型インクを用いる光硬化型インクジェット方式等が実用化されているが、中でも、光硬化型インクジェット方式は他の記録方式に比べ比較的低臭気であり、専用紙以外にも速乾性・インク吸収性の無い記録媒体に記録できる点で注目されている。
【０００４】
このような光硬化型インクジェット方式に用いられるインクジェットプリンタでは通常、紫外線光源が配設されており、記録媒体に着弾したインクに紫外線光源から紫外線を照射することで、ラジカルを形成させてインクの組成物のモノマー・オリゴマーを重合させ、当該インクを即座に硬化させている（例えば特許文献１参照）。しかしながら、このようなラジカル重合系インクを記録用インクとして使用する構成では、高照度の紫外線を照射しなければインクが充分に硬化しないため紫外線光源の大型化を伴い、ひいてはインクジェットプリンタそのものの大型化を招きコスト高になってしまう。
【特許文献１】特開２００１−３１０４５４号公報
【発明の開示】
【発明が解決しようとする課題】
【０００５】
そこで今日では、ラジカル重合系インクよりも低照度の紫外線で硬化するカチオン重合系インクが開発・実用化されている。カチオン重合系インクを記録用インクとして使用すると、低照度の紫外線で硬化するため紫外線光源の小型化を図れ、インクジェットプリンタそのものの小型化に結び付けることができ、さらにはインク吸収性の無いシュリンクフィルム等の記録媒体において紫外線を照射した後の記録媒体の収縮をも抑えることができる。ところが、上記カチオン重合系インクは環境による物性変動が大きく、特に硬化特性が湿度・温度に依存するため、記録物を生産する際に紫外線を照射しても湿度・温度環境によっては充分に硬化しない可能性がある。
【０００６】
本発明の目的は、湿度・温度環境に左右されずに上記インク等の光硬化型の液体を硬化させることができる液体吐出装置を提供することである。
【課題を解決するための手段】
【０００７】
上記課題を解決するため請求項１に記載の発明の液体吐出装置は、
光の被照射により硬化する光硬化型の液体を対象物に吐出するヘッドと、
前記ヘッドから前記対象物に吐出された前記液体に光を照射する光源と、
前記対象物の近傍の温度を検出する温度センサと、前記対象物の近傍の湿度を検出する湿度センサとのうち少なくとも一方のセンサと、
前記光源から照射される光の照度を制御する制御部と、
を備え、
前記制御部は、
前記温度センサ及び前記湿度センサのうち少なくとも一方のセンサの検出結果に基づき前記光源の光の照度を制御することを特徴とする。
【０００８】
請求項２に記載の発明は、
請求項１に記載の液体吐出装置において、
前記制御部には、温度及び湿度の少なくとも一方と、温度及び湿度の少なくとも一方に対応して前記液体を硬化させるのに必要な光の硬化所要照度との対応関係が第一のデータテーブルとして格納されており、
前記制御部は、
前記温度センサ及び前記湿度センサのうち少なくとも一方のセンサの検出結果に基づき前記第一のデータテーブルの中から前記硬化所要照度を特定し、特定した前記硬化所要照度以上で前記光源が点灯するように前記光源の光の照度を制御することを特徴とする。
【０００９】
請求項３に記載の発明は、
請求項２に記載の液体吐出装置において、
前記光源の光の照度を検出する照度検出センサを備え、
前記制御部には、前記光源から照射可能な光の照射可能照度を複数の照度レベルに分けた第二のデータテーブルが格納されており、
前記制御部は、
前記照度検出センサの検出結果に基づき前記第二のデータテーブルの各照度レベルに対応する前記照射可能照度を書き換え、書き換えた前記第二のデータテーブルの中から、前記温度センサ及び前記湿度センサのうち少なくとも一方のセンサの検出結果に基づいて特定した前記硬化所要照度以上の前記照射可能照度を有する照度レベルを選択し、選択した照度レベルの前記照射可能照度で前記光源が点灯するように前記光源の光の照度を制御することを特徴とする。
【００１０】
請求項４に記載の発明は、
請求項２又は３に記載の液体吐出装置において、
前記光源を複数備え、
前記制御部は、
前記温度センサ及び前記湿度センサのうち少なくとも一方のセンサの検出結果に基づいて特定した前記硬化所要照度が、一の前記光源から照射可能な光の照射可能照度の上限を超えているか否かを判定し、特定した前記硬化所要照度が前記照射可能照度の上限を超えていると判断した場合に、前記一の光源と前記一の光源以外の他の前記光源との光の照度の合計値が特定した前記硬化所要照度を超えるように前記他の光源を点灯させることを特徴とする。
【００１１】
請求項５に記載の発明は、
請求項２又は３に記載の液体吐出装置において、
前記光源以外に前記ヘッドから前記対象物に吐出された前記液体に光を照射する予備光源を備え、
前記制御部は、
前記温度センサ及び前記湿度センサのうち少なくとも一方のセンサの検出結果に基づいて特定した前記硬化所要照度が、前記光源から照射可能な光の照射可能照度の上限を超えているか否かを判定し、特定した前記硬化所要照度が前記照射可能照度の上限を超えていると判断した場合に、前記予備光源が点灯するように前記予備光源を制御することを特徴とする。
【００１２】
請求項６に記載の発明は、
請求項２〜５のいずれか一項に記載の液体吐出装置において、
前記第一のデータテーブルでは、湿度が高くなるにつれて前記硬化所要照度が高くなることを特徴とする。
【００１３】
請求項７に記載の発明は、
請求項２〜６のいずれか一項に記載の液体吐出装置において、
前記第一のデータテーブルでは、前記硬化所要照度が温度及び湿度の両方に対応していることを特徴とする。
【００１４】
請求項８に記載の発明は、
請求項２〜７のいずれか一項に記載の液体吐出装置において、
前記第一のデータテーブルでは、前記硬化所要照度が前記液体の種類に応じていることを特徴とする。
【００１５】
請求項９に記載の発明は、
請求項１〜８のいずれか一項に記載の液体吐出装置において、
前記対象物は記録媒体であり、
前記液体は、一成分として色材を含むインクであることを特徴とする。
【００１６】
請求項１０に記載の発明は、
請求項９に記載の液体吐出装置において、
前記光は紫外線であり、
前記液体は、紫外線の被照射により硬化するインクであることを特徴とする。
【００１７】
請求項１１に記載の発明は、
請求項１０に記載の液体吐出装置において、
前記液体は、一成分としてカチオン重合性化合物を含むカチオン重合系インクであることを特徴とする。
【発明の効果】
【００１８】
請求項１に記載の発明では、制御部が温度センサ及び湿度センサのうち少なくとも一方のセンサの検出結果に基づき光源の光の照度を制御するので、対象物の近傍の温度及び湿度の少なくとも一方の環境変動に応じて光源の光の照度を制御することが可能となり、湿度・温度環境に左右されずに光硬化型の液体を硬化させることができる。またこの場合、液体を硬化させるのに必要以上の照度の光を対象物に照射しなくても済むため、光源を点灯させるのに掛かる消費電力を抑えることができ、さらには光源の寿命も延ばすことができる。
【００１９】
請求項２に記載の発明では、温度及び湿度の少なくとも一方とこれらに対応する硬化所要照度とが第一のデータテーブルとして制御部に予め格納されており、制御部が、温度センサ及び湿度センサのうち少なくとも一方のセンサの検出結果に基づき第一のデータテーブルの中から硬化所要照度を特定し、特定した硬化所要照度以上で点灯するように光源を制御するようになっている。従って請求項２に記載の発明では、温度及び湿度の少なくとも一方に応じた硬化所要照度以上の照度で光源が点灯し、湿度・温度環境に左右されずに光硬化型の液体を確実に硬化させることができる。
【００２０】
請求項３に記載の発明では、複数の照度レベルと各照度レベルに対応する照射可能照度とが第二のデータテーブルとして制御部に格納されており、制御部が、照度検出センサの検出結果に基づき第二のデータテーブルの各照度レベルに対応する照射可能照度を書き換え、書き換えた第二のデータテーブルの中から、硬化所要照度以上の照射可能照度を有する照度レベルを選択し、選択した照度レベルの照射可能照度で点灯するように光源を制御するようになっている。つまり、使用頻度に応じて光源の照度が低下してきても第二のデータテーブルにおける照射可能照度が適宜更新され、更新された第二のデータテーブルの中から硬化所要照度以上の照射可能照度を有する照度レベルが選択され、その照度レベルの照射可能照度で光源が点灯する。従って請求項３に記載の発明では、使用頻度に応じて光源の照度が低下してきても、常に、硬化所要照度以上の照射可能照度で光源が点灯して光硬化型の液体を確実に硬化させることができる。
【００２１】
請求項４に記載の発明では、硬化所要照度が一の光源の照射可能照度の上限を超えると、他の光源が点灯するので、温度・湿度の環境変動や長期使用による光源の照度低下等により一の光源の光の照度だけでは液体を硬化させることができない場合にも光硬化型の液体を硬化させることができる。
【００２２】
請求項５に記載の発明では、硬化所要照度が光源の照射可能照度の上限を超えると予備光源が点灯するので、温度・湿度の環境変動や長期使用による光源の照度低下等により光源の光の照度だけでは液体を硬化させることができない場合にも光硬化型の液体を硬化させることができる。
【００２３】
請求項６に記載の発明では、第一のデータテーブルにおいて湿度が高くなるにつれて硬化所要照度が高くなるので、湿度が高くなるにつれて光源から照射される光の照度が上昇し、高湿環境下では硬化しにくい湿度依存性の液体がヘッドから吐出される場合でも、光硬化型の液体を確実に硬化させることができる。
【００２４】
請求項７に記載の発明では、第一のデータテーブルにおいて硬化所要照度が温度及び湿度の両方に対応しているので、温度及び湿度の両方に対応した光の照度で液体を硬化させることができる。
【００２５】
請求項８に記載の発明では、第一のデータテーブルにおいて硬化所要照度が液体の種類に応じているので、複数種類の液体をその種類に応じた光の照度でそれぞれ硬化させることができる。
【００２６】
請求項９に記載の発明では、ヘッドから液体としてのインクを吐出することで対象物としての記録媒体に画像を記録することができる。
【００２７】
請求項１０に記載の発明では、紫外線により液体としてのインクを硬化させることができる。
【００２８】
請求項１１に記載の発明では、液体がカチオン重合系インクであるので、低照度の紫外線により液体としてのカチオン重合系インクを硬化させることができる。
【発明を実施するための最良の形態】
【００２９】
以下、図面を参照しながら本発明に係る液体吐出装置をインクジェットプリンタに適用した場合の実施形態について説明する。ただし、発明の範囲は図示例に限定されない。
始めに、図１〜図４を参照しながら本発明に係る液体吐出装置としてのインクジェットプリンタ１の構成（制御系の構成を含む。）について説明する。
図１はインクジェットプリンタ１を示す概略斜視図である。
【００３０】
図１に示す通り、インクジェットプリンタ１は、記録媒体９９の非記録面（記録面の反対の面）を支持する平板状のプラテン２を有しており、プラテン２の前後には搬送ローラ３，４がそれぞれ配設されている。各搬送ローラ３，４には駆動源となる搬送モータ（図示略）がそれぞれ接続されており、各搬送モータの駆動に伴い、各搬送ローラ３，４はプラテン２の前後で軸心回りの所定方向にそれぞれ回転するようになっている。そして、各搬送ローラ３，４が回転することにより、記録媒体９９は搬送方向Ａに沿って搬送されるようになっている。
【００３１】
プラテン２の上方には、長尺なガイド部材５が搬送方向Ａに直交する方向Ｂ（以下「走査方向Ｂ」という。）に延在しており、ガイド部材５にはキャリッジ６が支持されている。キャリッジ６は、ガイド部材５によりガイド・支持された状態で走査方向Ｂに沿って走査自在（往復移動自在）とされている。
【００３２】
キャリッジ６には、イエロー（Ｙ），マゼンタ（Ｍ），シアン（Ｃ），ブラック（Ｋ）の各プロセスカラーのインクを記録媒体９９の記録面に向けてそれぞれ吐出する４つの記録ヘッド７〜１０と、記録媒体９９に向けて紫外線を照射する５つの紫外線照射部１１〜１５とが搭載されている。このキャリッジ６においては、各記録ヘッド７〜１０の左右両側にそれぞれ紫外線照射部１１〜１５が配置されており、紫外線照射部１１〜１５と記録ヘッド７〜１０とが交互に並んで配置されている。
【００３３】
図２はキャリッジ６の構成を詳細に図示した平面図である。
図２に示す通り、各記録ヘッド７〜１０には、記録ヘッド７〜１０毎に複数のノズル７ａ，７ａ，…；８ａ，８ａ，…；９ａ，９ａ，…；１０ａ，１０ａ，…がそれぞれ搬送方向Ａに沿う列状に配設されている。各記録ヘッド７〜１０は、これらノズル７ａ，７ａ，…；８ａ，８ａ，…；９ａ，９ａ，…；１０ａ，１０ａ，…からＹ，Ｍ，Ｃ，Ｋの各色のインクを微細な液滴として吐出するようになっている。
【００３４】
さらに各紫外線照射部１１〜１５には、紫外線照射部１１〜１５毎に２本の線状光源１１ａ，１１ｂ；１２ａ，１２ｂ；１３ａ，１３ｂ；１４ａ，１４ｂ；１５ａ，１５ｂがそれぞれ配設されている。各紫外線照射部１１〜１５は、これら線状光源１１ａ，１１ｂ；１２ａ，１２ｂ；１３ａ，１３ｂ；１４ａ，１４ｂ；１５ａ，１５ｂが点灯することにより記録媒体９９の記録面に向けて紫外線を照射することができるようになっている。線状光源１１ａ，１１ｂ；１２ａ，１２ｂ；１３ａ，１３ｂ；１４ａ，１４ｂ；１５ａ，１５ｂとしては、高圧水銀ランプ，メタルハライドランプ，ブラックライト，冷陰極管，ＬＥＤ（Light Emitting Diode）等が適用される。また各紫外線照射部１１〜１５には、線状光源１１ａ，１１ｂ；１２ａ，１２ｂ；１３ａ，１３ｂ；１４ａ，１４ｂ；１５ａ，１５ｂから照射される紫外線の照度を検出する照度検出センサ１１ｃ〜１５ｃがそれぞれ配設されている。
【００３５】
なお、紫外線照射部１１〜１５毎に配設された２本の線状光源１１ａ，１１ｂ；１２ａ，１２ｂ；１３ａ，１３ｂ；１４ａ，１４ｂ；１５ａ，１５ｂのうち、一方の線状光源１１ａ，１２ａ，１３ａ，１４ａ，１５ａが通常の記録時に使用される光源とされており、他方の線状光源１１ｂ，１２ｂ，１３ｂ，１４ｂ，１５ｂが非常時に使用される予備の光源とされている。
【００３６】
さらに、図１に示す上記キャリッジ６は、プラテン２に対向する位置から外れた図１中右側の位置（以下「ホームポジション」という。）に移動可能であり、インクジェットプリンタ１の非記録時においては、キャリッジ６は記録動作に備えてホームポジションで待機するようになっている。このホームポジションには温度センサ１６及び湿度センサ１７が配設されており、プラテン２に支持される記録媒体９９の近傍の温度及び湿度が検出できるようになっている。
【００３７】
図３はインクジェットプリンタ１の制御系の構成を示すブロック図であり、図４は、インクジェットプリンタ１を制御する制御部に格納されたデータテーブルを示す図面である。
【００３８】
図３に示す通り、インクジェットプリンタ１の各部の動作を制御する制御部２０には、上記温度センサ１６、湿度センサ１７、照度検出センサ１１ｃ〜１５ｃ及び線状光源１１ａ〜１５ａ，１１ｂ〜１５ｂがそれぞれ接続されており、制御部２０は温度センサ１６、湿度センサ１７及び照度検出センサ１１ｃ〜１５ｃの各センサの検出結果に基づき線状光源１１ａ〜１５ａ，１１ｂ〜１５ｂの照度を制御するようになっている。
【００３９】
さらに上記制御部２０には、制御プログラムに従い各種データを演算処理して各部に制御信号を出力する演算部２１と、制御プログラム及び各種データを格納する記憶部２２とがそれぞれ配設されており、特に本実施形態では図４（ａ），（ｂ）に示す各データテーブルが記憶部２２に格納されている。
【００４０】
図４（ａ）に示す第一のデータテーブルは、特定の温度（℃）及び湿度（％）に対してＹ，Ｍ，Ｃ，Ｋの各色のインクをそれぞれ硬化させるのに必要な紫外線の硬化所要照度を示している。図４（ａ）に示すデータテーブルにおいては、湿度が高くなるにつれて紫外線の硬化所要照度がＹ，Ｍ，Ｃ，Ｋの各色のインク毎に高くなっており、さらに紫外線の硬化所要照度がＹ，Ｍ，Ｃ，Ｋの各色のインク毎にそのインクの種類に応じた最適な照度になっている。一方、図４（ｂ）に示す第二のデータテーブルは、照度レベル「１」〜「５」に対して各線状光源１１ａ〜１５ａ，１１ｂ〜１５ｂで照射可能な紫外線の照射可能照度を示している。
【００４１】
次に、本実施形態に用いられる「インク」について説明する。
本実施形態に用いられるインクとしては、特に、「光硬化技術−樹脂・開始剤の選定と配合条件及び硬化度の測定・評価−（技術協会情報）」に記載の「光硬化システム（第４章）」の「光酸・塩基発生剤を利用する硬化システム（第１節）」、「光誘導型交互共重合（第２節）」等に適合するインクが適用可能であり、通常のラジカル重合により硬化するものであってもよい。
【００４２】
具体的に、本実施形態に用いられるインクは、光としての紫外線の被照射により硬化する性質を具備する光硬化型インクであり、主成分として、重合性化合物（公知の重合性化合物を含む。）と、光開始剤と、色材とを少なくとも含むものである。ただし、本実施形態に用いるインクとして、上記「光誘導型交互共重合（第２節）」に適合するインクを用いる場合には光開始剤は除外されてもよい。
【００４３】
上記光硬化型インクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。
【００４４】
次に、本実施形態に用いられる「記録媒体９９」について説明する。
本実施形態に用いられる記録媒体９９としては、通常のインクジェットプリンタに適用される普通紙，再生紙，光沢紙等の各種紙，各種布地，各種不織布，樹脂，金属，ガラス等の材質からなる記録媒体が適用可能である。記録媒体９９の形態としては、ロール状、カットシート状、板状等が適用可能である。本実施形態では、記録媒体９９としてロール状に巻かれた長尺な樹脂製フィルムを用いている。
【００４５】
続いて、インクジェットプリンタ１の動作について説明する。
図１に示すインクジェットプリンタ１の記録動作中において、各搬送ローラ３，４に接続された搬送モータがそれぞれ駆動されて各搬送ローラ３，４が所定量の回転と停止とを繰り返し、記録媒体９９はプラテン２により非記録面を支持された状態でプラテン２の上部を後方から前方へ向かい間欠的に移動する。
【００４６】
そして各搬送ローラ３，４が停止する毎に、キャリッジ６が作動して記録媒体９９の直上を走査方向Ｂに沿って図１中右方から左方へ又は左方から右方へと移動する。このとき、キャリッジ６に搭載されている４つの記録ヘッド７〜１０及び５つの紫外線照射部１１〜１５も、キャリッジ６の移動に追従して記録媒体９９の直上を走査方向Ｂに沿って移動する。
【００４７】
以下の説明では、キャリッジ６の移動方向を分かり易くするため、キャリッジ６が図１中右方から左方へと移動することを「往動」といい、キャリッジ６が図１中左方から右方へと移動することを「復動」という。
【００４８】
そして、キャリッジ６が往動又は復動している最中に、各記録ヘッド７〜１０はノズル７ａ，７ａ，…；８ａ，８ａ，…；９ａ，９ａ，…；１０ａ，１０ａ，…から記録媒体９９の記録面に向かってインクをそれぞれ吐出する。
【００４９】
さらにキャリッジ６が往動している最中には、キャリッジ６の移動方向の各記録ヘッド７〜１０より後側の線状光源１２ａ〜１５ａが点灯して記録媒体９９に着弾した直後のインクに紫外線が照射され、当該インクは硬化して記録媒体９９の記録面に定着する。一方、キャリッジ６が復動している最中には、キャリッジ６の移動方向の各記録ヘッド７〜１０より後側の線状光源１１ａ〜１４ａが点灯して記録媒体９９に着弾した直後のインクに紫外線が照射され、当該インクは硬化して記録媒体９９の記録面に定着する。
【００５０】
ここで、本実施形態ではインクジェットプリンタ１の記録動作中において、制御部２０が温度センサ１６及び湿度センサ１７の各センサの検出結果に基づき、図４（ａ），（ｂ）に示す各データテーブルを用いて線状光源１１ａ〜１５ａ，１１ｂ〜１５ｂの照度を制御している。
【００５１】
具体的にキャリッジ６が往動する場合を例にして説明すると、例えば、温度センサ１６により検出された温度が２２℃で湿度センサ１７により検出された湿度が３０％のとき、制御部２０の演算部２１は、温度センサ１６及び湿度センサ１７の検出結果に基づき、記憶部２２に格納された図４（ａ）のデータテーブルの中から温度２２℃，湿度３０％に対応する紫外線の硬化所要照度をＹ，Ｍ，Ｃ，Ｋの色毎にそれぞれ特定して読み込む。これにより演算部２１は、Ｙのインクを硬化させるのに必要な紫外線の硬化所要照度が「７０」であることを認識し、これと同様に、Ｍ，Ｃ，Ｋのインクをそれぞれ硬化させるのに必要な紫外線の硬化所要照度が「６０」，「５０」，「４０」であることを認識する。
【００５２】
その後、演算部２１は、キャリッジ６の往動中に使用する４本の線状光源１２ａ〜１５ａにおいて、Ｙ，Ｍ，Ｃ，Ｋの各色のインクを硬化させるのに必要な硬化所要照度以上の照射可能照度を有する照度レベルを、記憶部２２に格納された図４（ｂ）のデータテーブルの中からそれぞれ線状光源１２ａ〜１５ａ毎に選択する。つまりキャリッジ６が往動する場合においては、記録ヘッド７のノズル７ａから吐出されたＹのインクは線状光源１２ａの点灯により紫外線を照射されて硬化するため、Ｙのインクを硬化させるための紫外線の照度レベルは、線状光源１２ａに対応する照度レベルが選択される。同様にして、Ｍ，Ｃ，Ｋのインクを硬化させるための紫外線の照度レベルは、線状光源１３ａ，１４ａ，１５ａに対応する照度レベルがそれぞれ選択される。
【００５３】
従って上記の通り、Ｙのインクを硬化させるのに必要な紫外線の硬化所要照度は「７０」とされているので、演算部２１は、線状光源１２ａにおいては「２」の照度レベルを選択する。同様にして、演算部２１は、線状光源１３ａにおいては「３」の照度レベルを選択し、線状光源１５ａにおいては「１」の照度レベルを選択する。
【００５４】
この場合、演算部２１は、温度センサ１６及び湿度センサ１７の検出結果に基づいて特定した硬化所要照度が各線状光源１２ａ〜１５ａの照射可能照度の上限を超えているか否かを判定して各線状光源１２ａ〜１５ａの照度レベルを選択するが、線状光源１４ａのように、温度２２℃，湿度３０％の環境下においてＣのインクを硬化させるには上記の通り硬化所要照度「５０」の紫外線を必要とするにもかかわらず線状光源１４ａの上限の照射可能照度（「４０」）では「５０」に満たないときには、演算部２１は、線状光源１４ａにおいては「５」の最高照度レベルを選択するとともに、線状光源１４ａの紫外線の照度では足りない分の照度（「１０」）を補うために予備の線状光源１４ｂの照度レベルも選択する。この場合、演算部２１は、線状光源１４ｂにおいて「１」の照度レベルを選択する。
【００５５】
その後、演算部２１は、選択した各線状光源１２ａ，１３ａ，１４ａ，１４ｂ，１５ａの照度レベルを図４（ｂ）のデータテーブルの中から読み出し、読み出した各照度レベルで点灯する旨の制御信号を各線状光源１２ａ，１３ａ，１４ａ，１４ｂ，１５ａに出力する。これにより、各線状光源１２ａ，１３ａ，１４ａ，１４ｂ，１５ａがそれぞれに対応する照度レベルで点灯し、記録媒体９９に着弾したＹ，Ｍ，Ｃ，Ｋの各色のインクに所定照度の紫外線が各紫外線照射部１２〜１５から照射されるようになっている。
【００５６】
以後、インクジェットプリンタ１では、キャリッジ６の往動中と復動中とで線状光源１１ａ〜１５ａ，１１ｂ〜１５ｂの照度レベルが上記のように適宜選択されながら上述の動作が繰り返されて、プラテン２の上部を通過した記録媒体９９の記録面に所定の画像が順次記録されるようになっている。
【００５７】
なお、各線状光源１１ａ〜１５ａ，１１ｂ〜１５ｂは使用頻度に応じて照度が低下してくるため、インクジェットプリンタ１を起動する際や所定数の画像を記録する毎、インクジェットプリンタ１の起動中において所定時間が経過する毎等に、紫外線照射部１１〜１５の各照度検出センサ１１ｃ〜１５ｃが線状光源１１ａ〜１５ａ，１１ｂ〜１５ｂの照度を検出し、制御部２０の演算部２１は、各照度検出センサ１１ｃ〜１５ｃの検出結果に基づき、記憶部２２に格納された図４（ｂ）に示すデータテーブル中の各線状光源１１ａ〜１５ａ，１１ｂ〜１５ｂの照射可能照度を適宜書き換えるようになっている。これにより、各線状光源１１ａ〜１５ａ，１１ｂ〜１５ｂの照射可能照度が定期的に更新され、Ｙ，Ｍ，Ｃ，Ｋの各色のインクを硬化させるための紫外線の照度レベルが常に信頼性高く維持されている。この場合、使用頻度に応じて各線状光源１１ａ〜１５ａ，１１ｂ〜１５ｂの照度が低下してきても、常に、硬化所要照度以上の照射可能照度で各線状光源１１ａ〜１５ａ，１１ｂ〜１５ｂが点灯してインクを確実に硬化できるようになっている。
【００５８】
以上のようなインクジェットプリンタ１では、温度及び湿度に対応する硬化所要照度を示す図４（ａ）のデータテーブルと、各線状光源１１ａ〜１５ａ，１１ｂ〜１５ｂから照射可能な照射可能照度を複数の照度レベルに分けた図４（ｂ）のデータテーブルとが制御部２０の記憶部２２に予め格納され、制御部２０の演算部２１が、温度センサ１６及び湿度センサ１７の検出結果に基づき図４（ａ）のデータテーブルの中から硬化所要照度をインクの色毎に特定し、その後図４（ｂ）のデータテーブルの中から、先に特定した硬化所要照度以上の照射可能照度を有する照度レベルをインクの色毎に選択し、選択した各照度レベルの照射可能照度で線状光源１１ａ〜１５ａが点灯するように各線状光源１１ａ〜１５ａの光の照度を制御している。
【００５９】
従ってインクジェットプリンタ１では、記録媒体９９の近傍の温度及び湿度に応じた硬化所要照度以上の照度で各線状光源１１ａ〜１５ａが点灯し、温度・湿度環境に左右されずにＹ，Ｍ，Ｃ，Ｋの各色のインクをそれぞれ確実に硬化させることができる。またこの場合、各色のインクを硬化させるのに必要以上の照度の光を記録媒体９９に照射しなくても済むため、各線状光源１１ａ〜１５ａを点灯させるのに掛かる消費電力を抑えることができ、さらには各線状光源１１ａ〜１５ａの寿命も延ばすことができる。
【００６０】
さらにインクジェットプリンタ１では、キャリッジ６が往動する場合を例にして説明した上記線状光源１４ａ，１４ｂのように、線状光源１１ａ〜１５ａの硬化所要照度が照射可能照度の上限を超えた場合に予備の線状光源１１ｂ〜１５ｂが点灯するので、温度・湿度の環境変動や長期使用による線状光源１１ａ〜１５ａの照度低下等により線状光源１１ａ〜１５ａの紫外線の照度だけではインクを硬化させることができない場合にも、予備の線状光源１１ｂ〜１５ｂを点灯させてインクを確実に硬化させることができる。
【００６１】
なお、本発明は上記の実施形態に限定されることなく、本発明の主旨を逸脱しない範囲において種々の改良及び設計の変更をおこなってもよい。
【００６２】
例えば、上記実施形態では図２に示す通り、各紫外線照射部１１〜１５に線状光源１１ａ〜１５ａ，１１ｂ〜１５ｂを配設した例を示したが、これら線状光源１１ａ〜１５ａ，１１ｂ〜１５ｂに代えて、図５に示すように、複数の点状光源１１ｄ，１１ｄ，…；１２ｄ，１２ｄ，…；１３ｄ，１３ｄ，…；１４ｄ，１４ｄ，…；１５ｄ，１５ｄ，…を紫外線照射部１１〜１５毎に一又は複数列に並べて配設してもよい。この場合、複数の点状光源１１ｄ，１１ｄ，…；１２ｄ，１２ｄ，…；１３ｄ，１３ｄ，…；１４ｄ，１４ｄ，…；１５ｄ，１５ｄ，…のうち、いくつかの特定の点状光源１１ｄ，１１ｄ，…；１２ｄ，１２ｄ，…；１３ｄ，１３ｄ，…；１４ｄ，１４ｄ，…；１５ｄ，１５ｄ，…を通常の記録時に使用される光源として用い、それ以外の点状光源１１ｄ，１１ｄ，…；１２ｄ，１２ｄ，…；１３ｄ，１３ｄ，…；１４ｄ，１４ｄ，…；１５ｄ，１５ｄ，…を非常時に使用される予備の光源として用いればよい。
【００６３】
また上記実施形態では、図４（ａ）のデータテーブル中に示す硬化所要照度が、図４（ｂ）のデータテーブル中の照射可能照度の上限を超えた場合に予備の線状光源１１ｂ〜１５ｂを点灯するようにしたが、図４（ａ）の硬化所要照度が図４（ｂ）の照射可能照度の上限を超えた場合には、予備の線状光源１１ｂ〜１５ｂを点灯させずに、線状光源１１ａ〜１５ａの紫外線の照度で足りない分の紫外線の照度を、目的（硬化の対象）とするインクとは異なる色のインクを硬化させるためのほかの線状光源１１ａ〜１５ａから補充するようにしてもよい。
【００６４】
上記実施形態で説明した場合（キャリッジ６が往動する場合であって温度センサ１６で検出された温度が２２℃で湿度センサ１７で検出された湿度が３０％のとき）を例にして説明すると、線状光源１４ａの紫外線の照度で足りない分の照度（「１０」）を補うため、制御部２０の演算部２１に、線状光源１５ａにおいては図４（ｂ）のデータテーブルのなかから「１」の照度レベルではなく、「１」の照度レベルに照度「１０」を加算した「２」の照度レベルを選択させるようにしてもよい。
【００６５】
また図２の線状光源１１ａ〜１５ａ，１１ｂ〜１５ｂに代えて、図５の点状光源１１ｄ，１１ｄ，…；１２ｄ，１２ｄ，…；１３ｄ，１３ｄ，…；１４ｄ，１４ｄ，…；１５ｄ，１５ｄ，…を配設した場合にも、上記の通り、点状光源１１ｄ，１１ｄ，…；１２ｄ，１２ｄ，…；１３ｄ，１３ｄ，…；１４ｄ，１４ｄ，…；１５ｄ，１５ｄ，…の紫外線の照度で足りない分の紫外線の照度を、目的（硬化の対象）とするインクとは異なる色のインクを硬化させるためのほかの点状光源１１ｄ，１１ｄ，…；１２ｄ，１２ｄ，…；１３ｄ，１３ｄ，…；１４ｄ，１４ｄ，…；１５ｄ，１５ｄ，…から補充するようにしてもよい。
【００６６】
さらに本実施形態では、適用可能なインクとして、紫外線の被照射により硬化する光硬化型インク（ラジカル重合系インク，カチオン重合系インク及びハイブリッド型インクを含む。）を例示したが、必ずしもこれには限定されず、本実施形態に用いられるインクは、紫外線以外の光の被照射により硬化するものであってもよい。ここでいう「光」とは、広義の光であって、紫外線，電子線，Ｘ線，可視光線，赤外線等の電磁波を含むものである。つまり、本実施形態に用いられるインクには、紫外線以外の光で重合して硬化する重合性化合物と、紫外線以外の光で重合性化合物同士の重合反応を開始させる光開始剤とが適用されてもよい。紫外線以外の光で硬化する光硬化型のインクを本実施形態に用いられるインクとして用いる場合は、図２に示す線状光源１１ａ〜１５ａ，１１ｂ〜１５ｂ及び図５に示す点状光源１１ｄ，１１ｄ，…；１２ｄ，１２ｄ，…；１３ｄ，１３ｄ，…；１４ｄ，１４ｄ，…；１５ｄ，１５ｄ，…に代えて、その紫外線以外の光を照射可能な線状又は点状光源を適用しなければならない。
【００６７】
さらに本実施形態では、本発明に係る液体吐出装置をインクジェットプリンタ１に適用して記録ヘッド７〜１０からインクを吐出して記録媒体９９に画像を記録する例を示したが、ヘッドから液体を対象物に吐出する液体吐出装置において、液体として導電性微粒子を含む液体を適用するとともに対象物として基板を適用し、ヘッドから導電性微粒子を含む液体を基板に吐出して当該基板上に所定パターンを有する導線や電極膜を形成してもよい。またこれとは逆に、液体としてエッチング処理液を適用するとともに対象物として予め金属膜を成膜した基板を適用し、ヘッドからエッチング処理液を金属膜が成膜された基板に吐出して当該基板上に所定パターンを有する導線や電極膜を形成してもよい。
【図面の簡単な説明】
【００６８】
【図１】インクジェットプリンタを示す概略斜視図である。
【図２】キャリッジの平面図である。
【図３】インクジェットプリンタの制御系の構成を示すブロック図である。
【図４】（ａ）特定の温度（℃）及び湿度（％）に対してＹ，Ｍ，Ｃ，Ｋの各色のインクをそれぞれ硬化させるのに必要な紫外線の照度を示すデータテーブルであり、（ｂ）各照度レベル「１」〜「５」に対して各線状光源で照射可能な紫外線の照度を示すデータテーブルである。
【図５】図２のキャリッジの変形例を示す平面図である。
【符号の説明】
【００６９】
１  インクジェットプリンタ（液体吐出装置）
２  プラテン
３，４  搬送ローラ
５  ガイド部材
６  キャリッジ
７〜１０  記録ヘッド（ヘッド）
７ａ〜１０ａ  ノズル
１１〜１５  紫外線照射部
１１ａ〜１５ａ，１１ｂ〜１５ｂ  線状光源（光源）
１１ｃ〜１５ｃ  照度検出センサ
１１ｄ〜１５ｄ  点状光源（光源）
１６  温度センサ
１７  湿度センサ
２０  制御部
２１  演算部
２２  記憶部
【図１】
2004237724.tif 000003
【図２】
2004237724.tif 000004
【図３】
2004237724.tif 000005
【図４】
2004237724.tif 000006
【図５】
2004237724.tif 000007